(57)【要約】【課題】還気を取込む還気口と空調空気を吹出す給気口とを、多数の貫通孔を有する天井パネルにより室内空間に対して区画形成された天井チャンバーに配置してなる空調装置を備え、天井パネルの貫通孔から室内空間への空調空気の染み出しにより当該室内空間を空調する空調システムにおいて、天井パネルの貫通孔から室内空間への空調空気の染み出し量を、室内空間の空調負荷等に応じて適切に調整可能とする技術を提供する。【解決手段】天井チャンバー１とその外部２ａ，４との間で送風可能な送風機２５を備えると共に、送風機２５の送風状態を変更して、天井パネル３０の貫通孔３０ａから室内空間２への空調空気ＳＡ１の染み出し量を調整可能な染み出し量調整手段２１を備える。【選択図】図１
2018084342.tif 000002
【特許請求の範囲】
【請求項１】
還気を取込む還気口と空調空気を吹出す給気口とを、多数の貫通孔を有する天井パネルにより室内空間に対して区画形成された天井チャンバーに配置してなる空調装置を備え、
前記天井パネルの貫通孔から前記室内空間への空調空気の染み出しにより当該室内空間を空調する空調システムであって、
前記天井チャンバーとその外部との間で送風可能な送風機を備えると共に、
前記送風機の送風状態を変更して、前記天井パネルの貫通孔から前記室内空間への空調空気の染み出し量を調整可能な染み出し量調整手段を備えた空調システム。
【請求項２】
前記送風機が、前記外部から前記天井チャンバーに向かう送風を行わない天井チャンバー向き非送風状態と、前記外部から前記天井チャンバーに向かう送風を行う天井チャンバー向き送風状態とで、送風状態を切替自在に構成され、
前記染み出し量調整手段が、前記送風機の送風状態を前記天井チャンバー向き非送風状態から前記天井チャンバー向き送風状態に切替えて前記染み出し量を増加可能な手段である請求項１に記載の空調システム。
【請求項３】
前記天井チャンバー向き非送風状態として前記天井チャンバーから前記室内空間のペリメータゾーンに向かうペリメータゾーン向き送風状態で送風可能なペリメータ用送風機を、前記送風機として備えた請求項２に記載の空調システム。
【請求項４】
前記天井チャンバー向き非送風状態として前記天井チャンバーから前記室内空間と床パネルにより区画形成された床下チャンバーに向かう床下チャンバー向き送風状態で送風可能な床下チャンバー用送風機を、前記送風機として備えた請求項２又は３に記載の空調システム。
【請求項５】
前記床パネルに、前記室内空間のペリメータゾーンに臨むペリメータ用通気口が形成されている請求項４に記載の空調システム。
【発明の詳細な説明】
【技術分野】
【０００１】
本発明は、還気を取込む還気口と空調空気を吹出す給気口とを、多数の貫通孔を有する天井パネルにより室内空間に対して区画形成された天井チャンバーに配置してなる空調装置を備え、前記天井パネルの貫通孔から前記室内空間への空調空気の染み出しにより当該室内空間を空調する空調システムに関する。
【背景技術】
【０００２】
従来の空調システムとして、天井パネルにより室内空間と区画形成された天井チャンバーに、空調装置から冷却又は加熱後の空調空気を供給するものが知られている（特許文献１を参照。）。
そして、このような従来の空調システムでは、天井パネルに多数の貫通孔が分散形成されており、天井チャンバーに充満する空調空気が、これら多数の貫通孔を通じて室内空間に流出するように構成されている。以下、この流出状態を「染み出す」等と表現する場合がある。このことで、室内空間は、多数の貫通孔から染み出した空調空気の対流によって空調されることになる。
【０００３】
更に、特許文献１記載の空調システムでは、天井パネル（１６）により室内空間（Ｂ）と区画された天井チャンバー（Ａ）に、還気を取込む還気口と空調空気としての冷却空気を吹出す給気口とを配置してなる空調装置（１４）が設けられている。この構成により、空調装置（１４）は、天井チャンバーの空気を還気として取込んで冷却又は加熱し、当該冷却又は加熱後の空気を空調空気として天井チャンバー（Ａ）に供給することができる（特許文献１の図１等を参照。）。
【０００４】
この特許文献１記載の空調システムの暖房運転時では、空調装置（１４）から天井チャンバー（Ａ）に供給された暖気は、その比重が室内空気よりも小さいことから、天井パネル（１６）に形成された貫通孔（１６ａ，１６ｂ）を通じて室内空間（Ｂ）に流出することなく天井チャンバー（Ａ）に滞留することになる。よって、その滞留する暖気により加熱された天井パネルの熱放射（Ｇ）により室内空間が暖房されることになる（特許文献１の図６及び段落００３１等を参照。）。
一方、同文献記載の空調システムの冷房運転時では、空調装置（１４）から天井チャンバー（Ａ）に供給された冷気は、その比重が室内空気よりも大きいことから、室内空間から貫通孔を通じて上昇する室内空気（Ｇ）に見合った量（Ｅ）が、天井チャンバーから貫通孔を通じて室内空間（Ｂ）に流出することになる（特許文献１の図２及び段落００３０等を参照。）。
【先行技術文献】
【特許文献】
【０００５】
【特許文献１】特開２００６−１３２８２３号公報
【発明の概要】
【発明が解決しようとする課題】
【０００６】
上記のように還気口と給気口とを天井チャンバーに配置してなる空調装置を設けた従来の空調システムでは、天井パネルの貫通孔から室内空間への空調空気の染み出し量は、空調装置から天井チャンバーに供給された空調空気の比重の状態等によって決定されるものであって、室内空間の快適性を維持するために室内空間の空調負荷等に応じて意図的に調整し得るものではなかった。
【０００７】
この実情に鑑み、本発明の主たる課題は、還気を取込む還気口と空調空気を吹出す給気口とを、多数の貫通孔を有する天井パネルにより室内空間に対して区画形成された天井チャンバーに配置してなる空調装置を備え、前記天井パネルの貫通孔から前記室内空間への空調空気の染み出しにより当該室内空間を空調する空調システムにおいて、天井パネルの貫通孔から室内空間への空調空気の染み出し量を、室内空間の空調負荷等に応じて適切に調整可能とする技術を提供する点にある。
【課題を解決するための手段】
【０００８】
本発明の第１特徴構成は、還気を取込む還気口と空調空気を吹出す給気口とを、多数の貫通孔を有する天井パネルにより室内空間に対して区画形成された天井チャンバーに配置してなる空調装置を備え、
前記天井パネルの貫通孔から前記室内空間への空調空気の染み出しにより当該室内空間を空調する空調システムであって、
前記天井チャンバーとその外部との間で送風可能な送風機を備えると共に、
前記送風機の送風状態を変更して、前記天井パネルの貫通孔から前記室内空間への空調空気の染み出し量を調整可能な染み出し量調整手段を備えた点にある。
【０００９】
本構成によれば、染み出し量調整手段により、送風機による天井チャンバーとその外部との間での送風状態を変更する形態で、天井パネルの貫通孔から室内空間への空調空気の染み出し量を、室内空間の空調負荷等に応じて適切に調整することができる。
即ち、天井チャンバーとその外部との間で送風可能な送風機の送風状態を変更すれば、天井チャンバーとその外部との間での空気の流入出状態を変化させることができ、結果、天井チャンバーの内圧を変化させることができる。そして、天井チャンバーの内圧を変化させることで、天井パネルの貫通孔から室内空間への空調空気の染み出し量を調整することができる。
【００１０】
本発明の第２特徴構成は、前記送風機が、前記外部から前記天井チャンバーに向かう送風を行わない天井チャンバー向き非送風状態と、前記外部から前記天井チャンバーに向かう送風を行う天井チャンバー向き送風状態とで、送風状態を切替自在に構成され、
前記染み出し量調整手段が、前記送風機の送風状態を前記天井チャンバー向き非送風状態から前記天井チャンバー向き送風状態に切替えて前記染み出し量を増加可能な手段である点にある。
【００１１】
本構成によれば、例えば室内空間の空調負荷が大きい場合において、染み出し量調整手段により、送風機の送風状態を上記天井チャンバー向き非送風状態から上記天井チャンバー向き送風状態に切替える形態で、天井チャンバーの内圧を上昇させて、天井パネルの貫通孔から室内空間への空調空気の染み出し量を増加させることができる。
【００１２】
本発明の第３特徴構成は、前記天井チャンバー向き非送風状態として前記天井チャンバーから前記室内空間のペリメータゾーンに向かうペリメータゾーン向き送風状態で送風可能なペリメータ用送風機を、前記送風機として備えた点にある。
【００１３】
本構成によれば、染み出し量調整手段により、ペリメータ用送風機の送風状態を、ペリメータゾーン向き送風状態とする形態で、天井チャンバーの空調空気をペリメータゾーンに供給して、ペリメータゾーンの空調を適切に行うことができる。一方、例えば室内空間の空調負荷が増加した場合には、染み出し量調整手段により、ペリメータ用送風機の送風状態を、ペリメータゾーン向き送風状態から天井チャンバー向き送風状態に切替える形態で、天井パネルの貫通孔から室内空間への空調空気の染み出し量を増加させて、室内空間の空調負荷を適切に処理することができる。
【００１４】
本発明の第４特徴構成は、前記天井チャンバー向き非送風状態として前記天井チャンバーから前記室内空間と床パネルにより区画形成された床下チャンバーに向かう床下チャンバー向き送風状態で送風可能な床下チャンバー用送風機を、前記送風機として備えた点にある。
【００１５】
本構成によれば、染み出し量調整手段により、床下チャンバー用送風機の送風状態を、床下チャンバー向き送風状態とする形態で、天井チャンバーの空調空気を床下チャンバーに供給し、当該供給された空調空気との熱交換により床パネルを冷却又は加熱して、当該冷却又は加熱された床パネルの熱吸収又は熱放射により、室内空間の床面側の空調を適切に行うことができる。一方、例えば室内空間の空調負荷が増加した場合には、染み出し量調整手段により、床下チャンバー用送風機の送風状態を、床下チャンバー向き送風状態から天井チャンバー向き送風状態に切替える形態で、天井パネルの貫通孔から室内空間への空調空気の染み出し量を増加させて、室内空間の空調負荷を適切に処理することができる。
【００１６】
本発明の第５特徴構成は、前記床パネルに、前記室内空間のペリメータゾーンに臨むペリメータ用通気口が形成されている点にある。
【００１７】
本構成によれば、床パネルにペリメータ用通気口が形成されているので、床下チャンバー用送風機により天井チャンバーから床下チャンバーに供給された空調空気を、当該ペリメータ用通気口を通じて室内空間のペリメータゾーンに供給して、ペリメータゾーンの空調を適切に行うことができる。
【図面の簡単な説明】
【００１８】
【図１】本実施形態の空調システムの概略構成図
【図２】本実施形態の空調システムの運転制御構成を示すブロック図
【図３】本実施形態の空調システムにおける躯体蓄熱モードでの空調装置の状態を示す図
【発明を実施するための形態】
【００１９】
本発明の実施形態について図面に基づいて説明する。
【００２０】
本実施形態の空調システム（以下「本空調システム」と呼ぶ。）は、図１に示すように、天井パネル３０により室内空間２に対して区画形成された天井チャンバー１に空調装置１０を配置して構成されている。
【００２１】
即ち、天井チャンバー１は、上階のスラブ４０の下方に離間して敷設されて室内空間２の天井面を構成する天井パネル３０により、室内空間２と区画形成された空間として形成されている。そして、空調装置１０は、還気ＲＡを取込む還気口１２と冷却又は加熱後の空調空気ＳＡを吹出す給気口１１とを有する所謂パッケージ型の空調装置として構成されており、これら還気口１２と給気口１１とを天井チャンバー１に配置する状態で、天井チャンバー１に対してスラブ４０の下面に支持される状態で設置されている。
【００２２】
空調装置１０において、本体底面において下向きに開口するように還気口１２が設けられており、一方、本体底面の外周と本体周側面との境界部において斜め外方下向きに開口するように給気口１１が設けられている。そして、空調装置１０は、天井チャンバー１の空気を還気口１２から還気ＲＡとして取込み、当該取込んだ還気ＲＡを室外機（図示省略）との間で循環される冷媒との熱交換により冷却又は加熱し、当該冷却又は加熱された空調空気ＳＡを給気口１１から天井チャンバー１に供給する。
【００２３】
このように天井チャンバー１に空調装置１０を設置することで、空調装置１０の給気口１１から天井チャンバー１に空調空気ＳＡが供給されて、天井チャンバー１が空調空気ＳＡにより満たされる。このことで、天井パネル３０は、天井チャンバー１に供給された空調空気ＳＡとの接触により冷却又は加熱されて、室内空間２に対して熱吸収又は熱放射を行い、この熱吸収又は熱放射によって室内空間２が空調されることになる。尚、このような天井パネル３０の材料については、適宜選定することができるが、例えば空調空気ＳＡとの接触により冷却又は加熱されて熱吸収又は熱放射を良好に行うことができる金属などのような材料を適宜選定することができる。
【００２４】
更に、天井パネル３０には、多数の貫通孔３０ａが分散形成されている。天井チャンバー１に供給された空調空気ＳＡは、これら多数の貫通孔３０ａを通じて染み出し空気ＳＡ１として室内空間２に染み出すことになる。そして、これら多数の貫通孔３０ａから染み出した染み出し空気ＳＡ１の対流によっても室内空間２が空調されることになる。
【００２５】
室内空間２の壁面には、本空調システムの設定温度やモード切替などの各種設定操作の他、室内空間２の計測温度に基づく空調装置１０の出力制御や他の運転制御等を行うための運転制御装置２０が設けられている。尚、この運転制御装置２０の設置場所については、空調装置１０に内蔵したり、室内空間２とは別の管理室等に設置するなど、適宜変更可能である。
【００２６】
本空調システムには、図１に示すように、天井チャンバー１とその外部との間で送風可能な送風機２５として、天井チャンバー１とペリメータゾーン２ａ（外部の一例）との間で送風可能なペリメータ用送風機２５Ａと、天井チャンバー１と床下チャンバー４（外部の一例）との間で送風可能な床下チャンバー用送風機２５Ｂとが設けられている。
【００２７】
尚、ペリメータゾーン２ａは、室内空間２において窓Ｗに近い側の空間を示しており、このペリメータゾーン２ａに臨む天井部に相当する天井パネル３０の部分にペリメータ用送風機２５Ａが設置されている。
一方、床下チャンバー４は、床パネル３５により室内空間２と区画形成された空間を示しており、この床下チャンバー４に対して竪風路３を通じて連通する天井パネル３０の部分に床下チャンバー用送風機２５Ｂが設置されている。また、竪風路３は、室内空間２の壁面に沿って設けられた竪ダクトで構築された風路として構成することができるが、本実施形態では、室内空間２の壁を２重壁構造とし、その内部に形成された空間を竪風路３として利用している。
【００２８】
そして、運転制御装置２０は、これら送風機２５の運転制御を行って、ペリメータゾーン２ａの空調や床パネル３５側の空調を適切に行う。
冷房時においてペリメータゾーン２ａが窓Ｗからの日射等により高温になる場合や、暖房時においてペリメータゾーン２ａが窓Ｗからの伝熱により低温になる場合のように、ペリメータゾーン２ａの空調負荷が高い場合には、運転制御装置２０は、ペリメータ用送風機２５Ａの送風状態を、天井チャンバー１からペリメータゾーン２ａに向かうペリメータゾーン向き送風状態（図１においてペリメータ用送風機２５Ａから実線矢印の向きで送風している状態）として、ペリメータ用送風機２５Ａの運転制御を行う。すると、空調装置１０から天井チャンバー１に供給された空調空気ＳＡが、当該ペリメータ用送風機２５Ａを通じてペリメータゾーン２ａに供給されて、当該ペリメータゾーン２ａが適切に空調されることになる。
【００２９】
一方、暖房時において足元が寒い場合や冷房時において足元が十分に冷えない場合のように、室内空間２の床面側の空調負荷が高い場合には、運転制御装置２０は、床下チャンバー用送風機２５Ｂの送風状態を、天井チャンバー１から床下チャンバー４に向かう床下チャンバー向き送風状態（図１において床下チャンバー用送風機２５Ｂから実線矢印の向きで送風している状態）として、床下チャンバー用送風機２５Ｂの運転制御を行う。すると、空調装置１０から天井チャンバー１に供給された空調空気ＳＡが、当該床下チャンバー用送風機２５Ｂ及び竪風路３を通じて床下チャンバー４に供給される。すると、当該供給された空調空気ＳＡとの熱交換により床パネル３５が冷却又は加熱されて、当該冷却又は加熱された床パネル３５の熱吸収又は熱放射により、室内空間２の床面側が適切に空調されることになる。また、床パネル３５には、ペリメータゾーン２ａに臨む床面部分に位置するペリメータ用通気口３７や他の室内空間２に臨む床面部分に位置する通気口３６等が形成されている。そして、床下チャンバー４に供給された空調空気ＳＡは、これら通気口３６，３７を通じてペリメータゾーン２ａや他の室内空間２に流出することになり、この空調空気ＳＡの流出によっても、ペリメータゾーン２ａや他の室内空間２の床面側の空調が適切に行われることになる。
【００３０】
以上が、本空調システムの基本構成であるが、本空調システムは、天井パネル３０の貫通孔３０ａから室内空間２への染み出し空気ＳＡ１の染み出し量を、室内空間２の室内温度に基づいて認識される空調負荷や利用者による運転制御装置２０に対する設定操作等に基づいて適切に調整可能とするための構成を有しており、その構成の詳細について以下に説明を加える。
【００３１】
運転制御装置２０は、図２に示すように、所定のプログラムを実行することにより、これら送風機２５の送風状態を変更して、天井パネル３０の貫通孔３０ａから室内空間２へ染み出す染み出し空気ＳＡ１の染み出し量を調整可能な染み出し量調整手段２１として機能するように構成されている。
【００３２】
染み出し量調整手段２１は、送風機２５の送風状態を、ペリメータゾーン２ａや床下チャンバー４から天井チャンバー１に向かう送風を行わない天井チャンバー向き非送風状態と、ペリメータゾーン２ａや床下チャンバー４から天井チャンバー１に向かう送風を行う天井チャンバー向き送風状態との間で切替える。そして、このような送風機２５の送風状態の切替により、天井パネル３０の貫通孔３０ａから室内空間２へ染み出す染み出し空気ＳＡ１の染み出し量を変化させることができる。
【００３３】
ここで、上記天井チャンバー向き非送風状態には、上述したようなペリメータゾーン向き送風状態や床下チャンバー向き送風状態のように天井チャンバー１から外部に送風している状態（図１において実線矢印の向き（下向き）で送風している状態）の他、送風を停止している送風停止状態が含まれる。一方、上記天井チャンバー向き送風状態は、これらペリメータゾーン向き送風状態や床下チャンバー向き送風状態から送風方向を反転させた送風状態（図１において破線矢印（上向き）の向きで送風している状態）となる。
【００３４】
そして、上記送風機２５の送風状態が上記天井チャンバー向き非送風状態から上記天井チャンバー向き送風状態に切り替わることで、当該送風機２５を通じて外部から天井チャンバー１へ空気が流入して、天井チャンバー１の内圧が上昇することになる。この天井チャンバー１の内圧上昇により、天井パネル３０の貫通孔３０ａから室内空間２への染み出し空気ＳＡ１の染み出し量が増加することになり、結果、室内空間２の空調がペリメータゾーン２ａの空調や床パネル３５側の空調よりも優先して行われることになる。
【００３５】
逆に、上記送風機２５の送風状態が上記天井チャンバー向き送風状態から上記天井チャンバー向き非送風状態に切り替わることで、当該送風機２５を通じて天井チャンバー１から外部に空気が流出して、天井チャンバー１の内圧が低下する。この天井チャンバー１の内圧低下により、同染み出し空気ＳＡ１の染み出し量が減少する、又は、同染み出し空気ＳＡ１の染み出しが停止することになり、結果、上述したようなペリメータゾーン２ａの空調や床パネル３５側の空調が室内空間２の空調よりも優先して行われることになる。
【００３６】
また、天井チャンバー１とその外部との間で送風可能な送風機２５を複数備える場合において、染み出し量調整手段２１は、少なくとも一部の送風機２５の送風状態を変更して、天井パネル３０の貫通孔３０ａから室内空間２への染み出し空気ＳＡ１の染み出し量を調整することもできる。
例えば、一部の送風機２５の送風状態が上記天井チャンバー向き送風状態であり、他の送風機２５が上記天井チャンバー向き非送風状態である場合において、天井チャンバー向き送風状態の送風機２５の送風量の合計が、天井チャンバー向き非送風状態の送風機２５の送風量の合計を上回ることで、天井パネル３０の貫通孔３０ａから室内空間２への染み出し空気ＳＡ１の染み出しが発生することになる。そして、この状態において、染み出し量調整手段２１により、少なくとも一部の送風機２５の送風方向や送風量などの送風状態を変化させることで、天井チャンバー１の内圧を変化させることができ、それに伴って染み出し空気ＳＡ１の染み出し量を増減させることができる。
【００３７】
例えば、ペリメータ用送風機２５Ａの送風状態をペリメータゾーン向き送風状態（図１においてペリメータ用送風機２５Ａから実線矢印の向き（下向き）で送風している状態）としてペリメータゾーン２ａの空調を行いながら、床下チャンバー用送風機２５Ｂの送風状態を天井チャンバー向き送風状態（図１において床下チャンバー用送風機２５Ｂから破線矢印の向き（上向き）で送風している状態）とする。この場合には、床下チャンバー用送風機２５Ｂによる天井チャンバー１への送風量をペリメータ用送風機２５Ａによるペリメータゾーン２ａへの送風量よりも大きくすれば、天井パネル３０の貫通孔３０ａから室内空間２への染み出し空気ＳＡ１の染み出しを発生させることができる。そして、この状態において、染み出し量調整手段２１は、ペリメータ用送風機２５Ａの送風量を減少させる、又は、床下チャンバー用送風機２５Ｂの送風量を増加させる形態で、染み出し空気ＳＡ１の染み出し量を増加させることができ、逆に、ペリメータ用送風機２５Ａの送風量を増加させる、又は、床下チャンバー用送風機２５Ｂの送風量を減少させる形態で、染み出し空気ＳＡ１の染み出し量を減少させる、又は、同染み出し空気ＳＡ１の染み出しを停止させることができる。
【００３８】
また、床下チャンバー用送風機２５Ｂの送風状態を床下チャンバー向き送風状態（図１において床下チャンバー用送風機２５Ｂから実線矢印の向き（下向き）で送風している状態）として室内空間２の床面側の空調を行いながら、ペリメータ用送風機２５Ａの送風状態を天井チャンバー向き送風状態（図１においてペリメータ用送風機２５Ａから破線矢印の向き（上向き）で送風している状態）とする。この場合には、ペリメータ用送風機２５Ａによる天井チャンバー１への送風量を床下チャンバー用送風機２５Ｂによる床下チャンバー４への送風量よりも大きくすれば、天井パネル３０の貫通孔３０ａから室内空間２への染み出し空気ＳＡ１の染み出しを発生させることができる。そして、この状態において、染み出し量調整手段２１は、床下チャンバー用送風機２５Ｂの送風量を減少させる、又は、ペリメータ用送風機２５Ａの送風量を増加させる形態で、染み出し空気ＳＡ１の染み出し量を増加させることができ、逆に、床下チャンバー用送風機２５Ｂの送風量を増加させる、又は、ペリメータ用送風機２５Ａの送風量を減少させる形態で、染み出し空気ＳＡ１の染み出し量を減少させる、又は、同染み出し空気ＳＡ１の染み出しを停止させることができる。
【００３９】
また、図示は省略するが、天井チャンバー１に外気を導入し、その外気導入量を、ペリメータ用送風機２５Ａによるペリメータゾーン２ａへの送風量や床下チャンバー用送風機２５Ｂによる床下チャンバー４への送風量よりも大きくすることで、天井パネル３０の貫通孔３０ａから室内空間２への染み出し空気ＳＡ１の染み出しを発生させることもできる。この場合、染み出し量調整手段２１は、外気導入量も考慮しながら各送風機２５の送風状態を変更して天井チャンバー１の内圧を上昇又は低下させることで、天井パネル３０の貫通孔３０ａから室内空間２への染み出し空気ＳＡ１の染み出し量を変更することができる。
【００４０】
本空調システムの運転制御装置２０は、夜間などのように室内空間２の空調負荷が小さい時間帯等において、空調装置１０から天井チャンバー１に供給された空調空気ＳＡの熱を、上階のスラブ４０などの建物の躯体に蓄熱する躯体蓄熱モードでの運転を適宜行うように構成されている。
この躯体蓄熱モードでは、上記ペリメータ用送風機２５Ａや床下チャンバー用送風機２５Ｂの運転を停止しながら、空調装置１０の運転が継続される。このことで、空調装置１０から天井チャンバー１に供給された空調空気ＳＡの熱が、天井チャンバー１に面するスラブ４０などの躯体に蓄熱されることになり、このように躯体に蓄熱された熱が、室内空間２の空調負荷の上昇に伴って当該室内装置に放射されることで、室内空間２の空調の補助として利用されることになる。
【００４１】
また、空調装置１０には、図３に示すように、給気口１１の還気口１２側の縁部から外方に延出形成された水平フラップ１５を水平軸周りに揺動駆動させて、給気口１１における空調空気ＳＡの吹出し方向を変更可能なアクチュエータからなる風向可変機構部１６が設けられている。更に、この水平フラップ１５は、給気口１１の還気口１２側の縁部から先端部に向かう延出方向において、中間部において更に外方に屈曲する「く」の字形状を有する。
そして、上記躯体蓄熱モードにおいて、この水平フラップ１５が最も上方に揺動された上向き姿勢（図３に示す姿勢）とされることで、給気口１１から吹出された空調空気ＳＡが水平フラップの上面に沿って流通して、上階のスラブ４０の下面に吹き付けられることになる。このことで、空調空気ＳＡの熱を効率良くスラブ４０に蓄熱させることができる。
【００４２】
〔別実施形態〕
（１）上記実施形態では、空調装置１０を天井チャンバー１に設置したが、本発明はこの構成に限定されるものではなく、例えば空調装置を天井チャンバーとは別の場所に設置した場合であっても、当該空調装置の還気口と給気口とが天井チャンバーに配置されていればよい。
【００４３】
（２）上記実施形態では、天井チャンバー１とその外部との間で送風可能な送風機２５として、ペリメータ用送風機２５Ａ及び床下チャンバー用送風機２５Ｂを設けたが、本発明はこの構成に限定されるものではなく、何れか一方の送風機又は天井チャンバー１に外気を導入する送風機などの別の送風機を設けても構わない。
【００４４】
（３）上記実施形態では、床パネル３５に通気口３６，３７を設け、この通気口３６，３７を通じて室内空間２と床下チャンバー４との間で空気の流入出を行うように構成したが、このような通気口３６，３７を省略し、屋外などのように室内空間とは別の空間と床下チャンバーとの間で空気の流入出を行うように構成しても構わない。
【符号の説明】
【００４５】
１            天井チャンバー
２            室内空間
２ａ          ペリメータゾーン
４            床下チャンバー
１０          空調装置
１１          給気口
１２          還気口
２１          染み出し量調整手段
２５          送風機
２５Ａ        ペリメータ用送風機
２５Ｂ        床下チャンバー用送風機
３０          天井パネル
３０ａ        貫通孔
３５          床パネル
３７          ペリメータ用通気口
ＲＡ          還気
ＳＡ，ＳＡ１  空調空気
【図１】
2018084342.tif 000003
【図２】
2018084342.tif 000004
【図３】
2018084342.tif 000005